(57)【特許請求の範囲】
【請求項１】
底部材の前後左右の各側縁部に前壁体と後壁体と左壁体と右壁体を立設状態に設けて成るかご型パレットにおいて、前記底部材の後側縁部に前記後壁体を起伏回動自在に枢着してこの後壁体を底部材に折り畳み重合可能に構成し、この後壁体の左右側縁部に枢支部を設けてこの左右夫々の枢支部に前記左壁体の後側縁部と前記右壁体の後側縁部とを水平回動自在に枢着すると共に、この後壁体の左右の枢支部のいずれか一方を後壁体の後方へ向けて突出せしめて、この後方へ突出する後方枢支部に右壁体若しくは左壁体の後側縁部を枢着し、この後方枢支部でない側の前記枢支部に枢着した左壁体若しくは右壁体を水平方向に回動させて後壁体の外側面に折り畳み重合した後、この折り畳み重合した左壁体若しくは右壁体に、前記後方枢支部に枢着した右壁体若しくは左壁体を水平方向に回動させて折り畳み重合し得るように構成し、前記後方枢支部に枢着する前記右壁体若しくは前記左壁体の後側縁部を後方へ延設して、この後側延設縁部を後方枢支部に枢着する構成とし、前記後方枢支部でない側の前記枢支部に枢着する前記左壁体若しくは前記右壁体に当接してこの左壁体若しくは右壁体の内方への水平回動を阻止する前記内方動ストッパ部を、前記後壁体の前記後方枢支部でない側の側縁部に前記枢支部と並設状態にして設けたことを特徴とするかご型パレット。
【発明の詳細な説明】
【技術分野】
【０００１】
本発明は、貨物の保管や運搬などに用いるかご型パレットに関するものである。
【背景技術】
【０００２】
この種のかご型パレットは、方形状の底部材の前後左右の各側縁部に、格子網状をなす前壁体と後壁体と左壁体と右壁体とを立設状態に設けて上方が開口するかご形体を構成するものとなっている。
【０００３】
また、この種かご型パレットは、底部材上に前後左右の各壁体が折り畳まれて不使用時に扁平に折り畳みできる機構を備えているものが多い。
【０００４】
具体的には、例えば、特開２００５−４１５４５号（特許文献１）のように、前壁体の下側縁部を底部材の前側縁部に起伏回動自在に枢着すると共に、後壁体の下側縁部を底部材の後側縁部に起伏自在に枢着し、この後壁体の左右側縁部夫々に、左壁体の後側縁部と右壁体の後側縁部とを水平回動自在に枢着しており、先ず前壁体を底部材上に折り畳み、続いて左壁体と右壁体とを後壁体の内側面に折り畳み、続いてこの左壁体と右壁体とが折り畳まれた後壁体を底部材上に折り畳まれた前壁体上に折り畳むことで扁平状態にできる構成である。
【０００５】
また、この特許文献１では、後壁体の左右側縁部のいずれか一方に底部材の内方側に折曲した枢着部を設け、この枢着部内に左壁体若しくは右壁体の後側縁部を枢着して、左壁体と右壁体とをきっちりと後壁体の内側面に折り畳み重合できるように構成されている。
【０００６】
【特許文献１】特開２００５−４１５４５号公報
【発明の開示】
【発明が解決しようとする課題】
【０００７】
しかしながら、上記特許文献１のように、最初に前壁体を底部材上に折り畳む構成の場合、引き続いて左右壁体を底部材の内側に回動させて折り畳む際に、そのまま左右壁体を回動させようとすると、底部材上にある前壁体の厚みがあることによりこの前壁体に左右壁体が接触して畳めないため、これを避けるためにはどうしても後壁体を一旦後方へ少し倒した上で左右壁体を内側に折り畳むようにしなければならなかった。してみると、この後壁体を少し倒した中途半端な状態で左右壁体を折り畳む操作は、各壁体が大型であることもあって意外と煩わしく、簡単な作業ではなかった。
【０００８】
本発明は、この点、左右壁体の折り畳みに際して前壁体が邪魔にならない折り畳み構造のかご型パレットを提供するものである。
【課題を解決するための手段】
【０００９】
添付図面を参照して本発明の要旨を説明する。
【００１０】
底部材１の前後左右の各側縁部に前壁体２と後壁体３と左壁体４と右壁体５を立設状態に設けて成るかご型パレットにおいて、前記底部材１の後側縁部に前記後壁体３を起伏回動自在に枢着してこの後壁体３を底部材１に折り畳み重合可能に構成し、この後壁体３の左右側縁部に枢支部６を設けてこの左右夫々の枢支部６に前記左壁体４の後側縁部と前記右壁体５の後側縁部とを水平回動自在に枢着すると共に、この後壁体３の左右の枢支部６のいずれか一方を後壁体３の後方へ向けて突出せしめて、この後方へ突出する後方枢支部６Ａに右壁体５若しくは左壁体４の後側縁部を枢着し、この後方枢支部６Ａでない側の前記枢支部６に枢着した左壁体４若しくは右壁体５を水平方向に回動させて後壁体３の外側面に折り畳み重合した後、この折り畳み重合した左壁体４若しくは右壁体５に、前記後方枢支部６Ａに枢着した右壁体５若しくは左壁体４を水平方向に回動させて折り畳み重合し得るように構成し、前記後方枢支部６Ａに枢着する前記右壁体５若しくは前記左壁体４の後側縁部を後方へ延設して、この後側延設縁部５Ａを後方枢支部６Ａに枢着する構成とし、前記後方枢支部６Ａでない側の前記枢支部６に枢着する前記左壁体４若しくは前記右壁体５に当接してこの左壁体４若しくは右壁体５の内方への水平回動を阻止する前記内方動ストッパ部７を、前記後壁体３の前記後方枢支部６Ａでない側の側縁部に前記枢支部６と並設状態にして設けたことを特徴とするかご型パレットに係るものである。
【発明の効果】
【００１１】
本発明は上述のように構成したから、左右壁体は夫々を水平外側へ回動させて後壁体の外側面に折り畳むので、前壁体が立設状態か、底部材上に折り畳まれた状態であるかにかかわらず、この左右壁体の折り畳みに際して前壁体が邪魔になることがないため容易に折り畳み操作を行うことができ、しかも、後壁体の左右の枢支部のいずれか一方を後壁体の後方へ向けて突出せしめて、この後方へ突出する後方枢支部に右壁体若しくは左壁体の後側縁部を枢着したため、例えば、先に後壁体の外側面に折り畳まれる左壁体若しくは右壁体の厚みより後方へ後方枢支部が突出配置するように後方枢支部の突出度を設定構成することにより、後から折り畳む右壁体若しくは左壁体が先に折り畳まれた左壁体若しくは右壁体に折り畳み途中で干渉することがなく、従って、左壁体と右壁体とがきちんと整列した重合状態で後壁体の外側面に確実に扁平に折り畳み重合されるように構成することができるので、前後左右の各壁体を底部材上に扁平に折り畳みできる構成を簡易に設計実現可能となるなど、極めて実用性に秀れた画期的なかご型パレットとなる。
【００１２】
また、本発明においては、内方動ストッパ部によって少なくとも後方枢支部でない側の枢支部に枢着した左壁体若しくは右壁体が勝手に内方へ回動することが阻止されるために、左壁体若しくは右壁体が内方へ回動移動していて左壁体若しくは右壁体を外側方向へ回動操作しにくくなってしまうような不都合がない上、最低限の折り畳み回動操作範囲で容易に折り畳み操作することができる一層実用性に秀れた構成のかご型パレットとなる。
【００１３】
また更に、本発明は、右壁体若しくは左壁体を後壁体の後方に突出させた後方枢支部に枢着する構成を簡易に設計実現可能となる一層実用性に秀れた構成のかご型パレットとなる。
【発明を実施するための最良の形態】
【００１４】
好適と考える本発明の実施形態（発明をどのように実施するか）を、図面に基づいて本発明の作用を示して簡単に説明する。
【００１５】
本発明のかご型パレットは、不使用時などに扁平に折り畳むことができる。
【００１６】
具体的には、例えば、先ず、左壁体４と右壁体５とを、夫々水平外側方向へ回動させて後壁体３の外側面に折り畳み重合する。
【００１７】
従って、左壁体４と右壁体５は、水平外側へ回動させて後壁体３に折り畳むので、前壁体２が立設状態か底部材１上に折り畳まれた状態であるかにかかわらず、この左右壁体４，５の折り畳みに際して前壁体１が邪魔になることがない。そのため、この左壁体４と右壁体５は、容易に折り畳み操作を行うことができる。
【００１８】
また、この際、後方枢支部６Ａでない側の枢支部６に枢着した左壁体４若しくは右壁体５を水平外側方向に回動させて後壁体３の外側面に折り畳み重合した後、この折り畳み重合した左壁体４若しくは右壁体５に、前記後方枢支部６Ａに枢着した右壁体５若しくは左壁体４を水平外側方向に回動させて折り畳み重合すると、後から折り畳まれる右壁体５若しくは左壁体４の枢支部６（後方枢支部６Ａ）が後壁体３の後方へ向けて突出しているために、例えば、先に折り畳まれる左壁体４若しくは右壁体５の厚みより後方へ後方枢支部６Ａが突出配置するように後方枢支部６Ａの突出度を設定構成することにより、後から折り畳む右壁体５若しくは左壁体４が先に折り畳まれた左壁体４若しくは右壁体５に折り畳み途中で干渉することがない。
【００１９】
従って、左壁体４と右壁体５とがきちんと整列した重合状態で後壁体３の外側面に折り畳み重合されるように構成することができるので、左壁体４と右壁体５とを後壁体３に対して確実に扁平に折り畳みできる。
【００２０】
続いて、この右壁体５と左壁体４とが折り畳み重合された後壁体３を底部材１上に伏動回動させ、例えば、この後壁体３の上方に存する左壁体４若しくは右壁体５の上方に前壁体２を折り畳み重合することで、底部材１上に前後左右の各壁体２，３，４，５が重合した扁平状態にできる（前壁体４は最初に底部材１上に折り畳まれる構成でも良い。）。
【００２１】
また、後方枢支部６Ａに枢着した右壁体５若しくは左壁体４は、この後方枢支部６Ａが後壁体３の後方に位置しているために、もともと内方へは回動移動しにくい構成であるが、例えば、少なくとも前記後方枢支部６Ａでない側の前記枢支部６に枢着する前記左壁体４若しくは前記右壁体５を前記後壁体３に対して内方へ水平回動することを阻止する内方動ストッパ部７を、左壁体４若しくは右壁体５又は前記後壁体３に設けたので、この内方動ストッパ部７によって後方枢支部６Ａでない側の枢支部６に枢着した左壁体４若しくは右壁体５も勝手に内方へ回動することが阻止されるために、左壁体４と右壁体５とが内方へ回動移動していてこの左壁体４と右壁体５を外側方向へ回動操作しにくくなってしまうような不都合がない。従って、最低限の折り畳み回動操作範囲で左壁体４と右壁体５を容易に折り畳み操作することができる。
【００２２】
また、前記後方枢支部６Ａに枢着する前記右壁体５若しくは前記左壁体４の後側縁部を後方へ延設して、この後側延設縁部５Ａを後方枢支部６Ａに枢着する構成としたので、右壁体５若しくは左壁体４を後壁体３の後方に突出させた後方枢支部６Ａに枢着する構成を簡易に設計実現可能となる。
【００２３】
また、前記枢支部６に枢着する前記左壁体４若しくは前記右壁体５に当接してこの左壁体４若しくは右壁体５の内方への水平回動を阻止する前記内方動ストッパ部７を、前記後壁体３の前記後方枢支部６Ａでない側の側縁部に前記枢支部６と並設状態にして設けた構成としたので、前記作用効果を確実に発揮する内方動ストッパ部７を簡易構成にして容易に設計実現可能となる。
【実施例】
【００２４】
本発明の具体的な実施例について図面に基づいて説明する。
【００２５】
本実施例のかご型パレットは、図１に示すように、方形板状を呈する底部材１の前後左右の各側縁部に、いずれも方形板状を呈する前壁体２と後壁体３と左壁体４と右壁体５とを立設状態に設けている。また、底部材１，前壁体２，後壁体３，左壁体４，右壁体５は、いずれも格子網状に構成して上部が開口するかご型体に構成している。
【００２６】
また、本実施例では、前記底部材１の前側縁部に前記前壁体２を起伏回動自在に枢着してこの前壁体２を底部材１に折り畳み重合可能に構成すると共に、前記底部材１の後側縁部に前記後壁体３を起伏回動自在に枢着してこの後壁体３を底部材１に折り畳み重合可能に構成している。
【００２７】
具体的には、底部材１の前側縁部に螺旋状のヒンジコイル９を横設状態に装着し、このヒンジコイル９に前壁体２の下側縁部を連結することにより、このヒンジコイル９を介して底部材１に対し前壁体３を起伏回動自在に枢着し、また、底部材１の後側縁部に螺旋状のヒンジコイル10を横設状態に装着し、このヒンジコイル10に後壁体３の下側縁部を連結することにより、このヒンジコイル10を介して底部材１に対し後壁体３を起伏回動自在に枢着した構成としている。
【００２８】
また、本実施例では、この後壁体３の左右側縁部に枢支部６を設け、この左右夫々の枢支部６に前記左壁体４の後側縁部と、前記右壁体５の後側縁部とを枢着した構成としている。
【００２９】
具体的には、後壁体３の左右側縁部を前記枢支部６として夫々に螺旋状のヒンジコイル11・12を縦設状態に装着し、この各ヒンジコイル11・12に左壁体４と右壁体５の後側縁部を連結して、立設状態の後壁体３に対し左壁体４と右壁体５とを水平回動自在に枢着した構成としている。図中符号13は、左右壁体４，５がヒンジコイル11・12を介して必要以上に揺動することを防止する平面視長円形状のガイド筒である。
【００３０】
また、本実施例では、この後壁体３の左右の枢支部６のいずれか一方（図面では右側の枢支部６）を後壁体３の後方へ向けて突出するように延設し、この後方へ突出する後方枢支部６Ａに右壁体５の後側縁部を枢着し、この後方枢支部６Ａでない左側の前記枢支部６に枢着した左壁体４を水平方向に回動させて後壁体３の外側面に折り畳み重合した後、この折り畳み重合した左壁体４に、前記後方枢支部６Ａに枢着した右壁体５を水平方向に回動させて折り畳み重合し得るように構成している。
【００３１】
具体的には、図２，図３に示すように、後壁体３の右側縁部を後方へ向けて平面視Ｌ字状に折曲形成することで、この右側縁部を後方へ向けて延設突設し、この後方延設部を前記後方枢支部６Ａとしてヒンジコイル12を装着し、一方、右壁体５の前後幅寸法を、左壁体４の前後幅寸法よりも長く形成することでこの右壁体５の後側縁部が左壁体４に比して後方へ延設するように構成して、この右壁体５の後側延設縁部５Ａを前記後方枢支部６Ａにヒンジコイル12により枢着した構成としている（図４参照。）。
【００３２】
また、少なくともこの後方枢支部６Ａの後方への突出度を、先に後壁体３の外側面に折り畳まれた左壁体４の厚みより後方へこの後方枢支部６Ａが突出配置する突出度に設定構成し、これにより、後から折り畳む右壁体５が先に折り畳まれた左壁体４に折り畳み途中で干渉することがなく、左壁体４と右壁体５とがきちんと整列した重合状態で後壁体３の外側面に折り畳み重合されるように構成している。
【００３３】
従って、図５に示すように、先ず、左壁体４を水平外側方向へ回動させて後壁体３の外側面に折り畳み重合し、次いで右壁体５を水平外側方向へ回動させて左壁体４の外側に折り畳み重合し、次いでこの右壁体５と左壁体４とが折り畳み重合された後壁体３を底部材１上に伏動回動させることで、右壁体５と左壁体４と後壁体３とを、底部材１上に扁平状態に折り畳みできる構成としている。
【００３４】
また、本実施例では、前記後方枢支部６Ａでない側の前記枢支部６に枢着する前記左壁体４を前記後壁体３に対して内方へ水平回動することを阻止する内方動ストッパ部７を、前記後壁体３に設けている。
【００３５】
具体的には、図６に示すように、後壁体３の左側縁部の上部内側に、短く切断した線材を付設してこの線材を前記内方動ストッパ部７としている。そして、この内方動ストッパ部７が枢支部６に枢着した前記左壁体４の後側の上部内側面に当接することで、この左壁体４が後壁体３に対して平面視で略直角となっている状態から必要以上に内方へ（後壁体３側へ）水平回動することが阻止される構成としている。
【００３６】
また、右壁体５にあっては、後壁体３の右側縁部の後方枢支部６Ａから折曲角部にかけての部位が前記内方動ストッパ部７と同等の機能を発揮する。即ち、この後方枢支部６Ａから折曲角部にかけての部位が後方枢支部６Ａに枢着した右壁体５の後側延設縁部５Ａの内側面に当接することで、この右壁体４が後壁体３に対して平面視で略直角となっている状態から必要以上に内方へ（後壁体３側へ）水平回動することが阻止されることになる構成である。
【００３７】
従って、左壁体４も右壁体５も必要以上に内方へ回動することが阻止される構成であるので、折り畳み時に左壁体４と右壁体５とが後壁体３の内側面の方向に回動してしまって外側への水平回動操作が厄介となるようなことがなく、夫々を確実に枢支部６，後方枢支部６Ａを軸にした２７０度程度の回動操作により左壁体４と右壁体５とを後壁体３に折り畳み重合できる構成としている。
【００３８】
また、本実施例は、前記右壁体５と前記左壁体４とを折り畳み重合した前記後壁体３を底部材１に対して折り畳み重合した後、この後壁体３，右壁体５，左壁体４の上方からこの前壁体２を底部材１に向かって折り畳み重合し得るように構成している。
【００３９】
具体的には、前壁体２は、その下側縁部（後述の下壁部２Ｂの下側縁部）を後方へ向けて略直角に折曲して折曲部２Ｃを有する構成とし、この折曲部２Ｃを前記ヒンジコイル９に枢着連結している。また、この折曲部２Ｃの後方への突出度合いを、底部材１上に折り畳まれた左右壁体４，５と後壁体３の三枚の壁厚み幅より大きい突出度に設定構成し、これにより、折り畳まれた左右壁体４，５と後壁体３の上から前壁体２を折り畳むと、途中で最上部に配設している右壁体５に前壁体２が干渉することなく、三枚の壁体３，４，５上にきちんと整列した重合状態で前壁体２を折り畳み重合し得るように構成している（図１１参照。）。
【００４０】
以下、本実施例を更に詳しく説明する。
【００４１】
本実施例の底部材１は、底部四隅に脚部14（Ｐ型脚）を付設している。
【００４２】
また、この底部材１の左右側縁部には、夫々の前後位置に前記脚部14を支持して、扁平に折り畳んだ状態のかご型パレットを上下に積み重ねた状態で格納するための支持部８を設けている。
【００４３】
この支持部８は、Ｕ字状のフレームの先端部間に前記脚部14を載置するための板状の載置部８Ａを設けた構成としており、この載置部８Ａを上に向けた状態で、且つ底部材１上に前後左右の壁体２，３，４，５が折り畳まれた際にこの各壁体２，３，４，５の折り畳み高さよりも高い位置に載置部８Ａが位置するようにして底部材１の左右側縁部に付設し、これによりこの各支持部８が、折り畳み時の各壁体２，３，４，５の左右方向への揺動も防止し得る構成としている。
【００４４】
また、この支持部８の載置部８Ａは、この載置部８Ａの下縁で後述するストッパピン19の荷重（底部材１に加わる荷重）を良好に受け止め得るよう肉厚化している。
【００４５】
本実施例の前壁体２は、上下に二分割された構成とすると共に、この上壁部２Ａと下壁部２Ｂとを横設状態に配した螺旋状のヒンジコイル15で枢着して二つ折り重合し得るように構成している。図中符号20は、上壁部２Ａと左壁部２Ｂがヒンジコイル15を介して必要以上に揺動することを防止する長円筒状のガイド筒である。
【００４６】
また、この前壁体２に、この前壁体２を左右の壁体４，５に係止して倒れないように保持する係止・解除可能な係止手段16を、上壁部２Ａの左右部と下壁部２Ｂの左右部とに夫々設けている。従って、この各係止手段16を解除することで、前壁体２を前方へ開放回動させることができ、また、上壁部２Ａの各係止手段16だけを解除することで、この上壁部２Ａだけを前方へ開放回動させることもできる構成としている。
【００４７】
本実施例の左壁体４並びに右壁体５は、外側面の前後部に、上下方向に長さを有するＬ字状の補強フレーム17を付設し、この補強フレーム17の上端部をフックやシャックルを掛止するための掛止部18として、この掛止部18を利用して本実施例のかご型パレットをクレーンなどで吊り上げて移送できるように構成している。また、本実施例のかご型パレットをクレーンなどで吊り上げた際には、左壁体４と右壁体５とを互いに内方（対向内側方向）へ倒れさせようとする力が加わるが、左壁体４が内方へ倒れようとすることを前記内方動ストッパ部７が防止すると共に、右壁体５が内方へ倒れようとすることを前記後壁体３の右側縁部の後方枢支部６Ａから折曲角部にかけての部位が防止して、かご型パレットが吊り上げ中も確固に保形される構成としている。
【００４８】
また、この左壁体４並びに右壁体５の、外側面の下部前後部には、前記底部材１のストッパピン19を突設して、このストッパピン19が前記底部材１の支持部８の載置部８Ａの下部に当接若しくは近接状態に配設するように設け、本実施例のかご型パレットを前記掛止部18を利用してクレーンなどで吊り上げた際には、このストッパピン19が支持部８の載置部８Ａの下部に当接することで、確実に左右壁体４，５と底部材１とが一体化して安全に移送されるように構成している。尚、詳しく図示していないが、底部材１の後側縁部を構成するフレームをアングル材で構成して、この底部材１の後側縁部に折り畳み時にストッパピン19が干渉しないように構成している。
【００４９】
このように構成した本実施例のかご型パレットの具体的な折り畳み方法を説明する。
【００５０】
先ず、前壁体２の前記各係止手段16を解除し、ストッパピン19が載置部８Ａに引っ掛からないように左壁体４と右壁体５を内側へ少し撓ませながら後壁体３を後方へ９０度程倒す（図７参照。）。
【００５１】
この際、左壁体４と右壁体５とは、支持部８によって外方へ回動しない状態に維持されるので勝手に左壁体４と右壁体５とが外側に開くようなことがなく、この後壁体３を後方へ倒す作業を容易に行うことができる。
【００５２】
続いて、後壁体３を後方へ倒すことで、外側へ回動可能となった左壁体４と右壁体５とを下方へ９０度程倒し（図８参照。）、それから再び後壁体３を上方へ９０度程起動させて左壁体４を後壁体３の外側面に折り畳み重合し（図９，図１０参照。）、次いで右壁体５を左壁体４の外側に折り畳み重合した上でこの右壁体５と左壁体４とが折り畳み重合された後壁体３を底部材１に向かって９０度程伏動回動する。
【００５３】
最後に、この後壁体３，右壁体５，左壁体４の上方から前壁体２を底部材１に向かって９０度程伏動回動して前壁体２を折り畳み重合することで、全体を扁平状態に折り畳みできる（図１１参照。）。
【００５４】
本実施例では図示していないが、前記支持部８を底部材１に対して着脱自在に設け、折り畳みに際してこの支持部８を取り外すようにすれば、図７，図８の操作を省略して直ちに図９からの操作を行うことができる。
【００５５】
尚、本発明は、本実施例に限られるものではなく、各構成要件の具体的構成は適宜設計し得るものである。
【図面の簡単な説明】
【００５６】
【図１】本実施例を示す斜視図である。
【図２】本実施例の後壁体を示す斜視図である。
【図３】本実施例の後壁体と右壁体との関係を示す説明平断面図である。
【図４】本実施例の後方枢支部と右壁体の後縁部との枢着構造を示す部分拡大説明斜視図のである。
【図５】本実施例の左壁体と右壁体の後壁体への折り畳み構造を示す説明平面図である。
【図６】本実施例の内方動ストッパ部を示す部分拡大説明斜視図である。
【図７】本実施例の後壁体を後方へ少し倒した状態を示す説明斜視図である。
【図８】図７の状態に続いて、後壁体を更に後方へ倒すと共に左右壁体を倒した状態を示す説明斜視図である。
【図９】図８の状態に続いて、後壁体を起こすと共に左右壁体を外側へ回動させた状態を示す説明斜視図である。
【図１０】図８の状態に続いて、左右壁体を後壁体の外側面に折り畳み重合した状態を示す説明斜視図である。
【図１１】本実施例の扁平折り畳み状態を示す説明斜視図である。
【符号の説明】
【００５７】
１  底部材
２  前壁体
３  後壁体
４  左壁体
５  右壁体
５Ａ  後側延設縁部
６  枢支部
６Ａ  後方枢支部
７  内方動ストッパ部
【図１】
0004733078.tif 000002
【図２】
0004733078.tif 000003
【図３】
0004733078.tif 000004
【図４】
0004733078.tif 000005
【図５】
0004733078.tif 000006
【図６】
0004733078.tif 000007
【図７】
0004733078.tif 000008
【図８】
0004733078.tif 000009
【図９】
0004733078.tif 000010
【図１０】
0004733078.tif 000011
【図１１】
0004733078.tif 000012